(57)【要約】      （修正有）【課題】サポートピンのたわみや位置ずれに起因する不均一なバリの発生、キャビティ内壁面側の傷みに起因する成形品の外観不良、及び摩擦屑による成形品の汚染を可及的に防止し得、更には金型の寿命を伸ばすことができるゴルフボール成形用金型の提供。【解決手段】少なくともゴルフボールの赤道線を分割基準線ＰＬとする分割面を有する複数の割型を分離可能に接合してなり、その内壁面に多数のディンプル形成用突起が突設されているキャビティ３を有する金型本体２と、キャビティ３に進退可能なサポートピン４とを具備し、サポートピン４がキャビティ３内に進出して芯球体３１を支持すると共に、後退した状態でサポートピン４の先端面がキャビティ内壁面の一部を構成するゴルフボール成形用金型において、所定の条件を満たす形状を有するサポートピン４を設け、サポートピン４と金型本体２との間の隙間が特定の範囲に設定される。【選択図】図１
2013128767.tif 000002
【特許請求の範囲】
【請求項１】
少なくともゴルフボールの赤道線を分割基準線とする分割面を有する複数の割型を分離可能に接合してなり、その内壁面に多数のディンプル形成用突起が突設されているキャビティを有する金型本体と、上記キャビティに進退可能なサポートピンとを具備し、該サポートピンが上記キャビティ内に進出して芯球体を支持すると共に、後退した状態で該サポートピンの先端面が上記キャビティ内壁面の一部を構成するゴルフボール成形用金型において、
上記サポートピンが、上記キャビティ内に進出して芯球体を支持すると共に、後退した状態でその先端面が上記キャビティ内壁面の一部を構成するピン体と、該ピン体の断面よりも大きい断面を有するガイド体とを具備し、上記ピン体が上記ガイド体の先端面に突設されてなるものであり、
上記金型本体には、上記ピン体と嵌合し得るピン挿通部、及び上記ガイド体と嵌合し得るガイド部を有するピン挿通孔が形成され、かつ
上記ガイド体と上記ガイド部との間の隙間が、上記ピン体と上記ピン挿通部との間の隙間よりも小さく設定されたことを特徴とするゴルフボール成形用金型。
【請求項２】
上記ガイド体と上記ガイド部との間の隙間が、上記ピン体と上記ピン挿通部との間の隙間の１／２以下に設定された請求項１記載のゴルフボール成形用金型。
【請求項３】
上記ガイド体の側面に、外部と連通する溝が少なくとも１本形成された請求項１又は２記載のゴルフボール成形用金型。
【請求項４】
上記ガイド部の内壁面に、外部と連通する溝が少なくとも１本形成された請求項１〜３のいずれか１項記載のゴルフボール成形用金型。
【請求項５】
上記ピン体を、先端面に１個以上のディンプル形成用突起が突設された形状とした請求項１〜４のいずれか１項記載のゴルフボール成形用金型。
【請求項６】
上記ピン体を、先端面に２個以上のディンプル形成用突起が突設された形状とした請求項５記載のゴルフボール成形用金型。
【請求項７】
上記ピン体の先端面が上記キャビティの極を含み、かつその周縁が極から緯度１０度の緯線と交差するものである請求項１〜６のいずれか１項記載のゴルフボール成形用金型。
【請求項８】
少なくともゴルフボールの赤道線を分割基準線とする分割面を有する複数の割型を分離可能に接合してなる金型のキャビティ内に芯球体を配置すると共に、この芯球体を金型に装備されたサポートピンで支持し、芯球体とキャビティ内壁面との間にカバー形成用材料を射出注入すると共に、上記サポートピンを後退させてカバーを成形するゴルフボールの製造方法において、上記金型として請求項１〜７のいずれか１項記載のゴルフボール成形用金型を用いるゴルフボールの製造方法。
【発明の詳細な説明】
【技術分野】
【０００１】
本発明は、コアに１層又は２層以上のカバーを被覆したゴルフボールの成形、特に表面に多数のディンプルが形成されるカバーの最外層を形成するために好適に使用し得るゴルフボール成形用金型及びゴルフボールの製造方法に関する。
【背景技術】
【０００２】
近年、ゴルフボールには、飛距離ばかりでなく、コントロール性や耐久性、打感（フィーリング）等の様々な性能が要求されている。通常、これらの性能の全てを一種類の材料のみで満足させることは難しい。そこで、ゴムや樹脂等を用いて形成されるソリッドコアや糸巻きコアの周囲に１層又は２層以上のカバーを被覆した構造とし、各層にそれぞれの機能を分担させることが一般に行われる。即ち、上記の層の数及び厚さ、並びに各層を構成する材料の配合等を調整することにより、飛距離重視としたり、コントロール性重視としたりするなど、プレーヤーの要求に応じた性能を発揮するようにしてきた。
【０００３】
通常、このような構造を有するゴルフボールの最外層を形成するためには射出成形法を用いることが多い。具体的には、コア又は該コアに１層以上の中間層（カバーの最外層以外の層）を被覆した球体（以下、「芯球体」と表記する。）を所定の金型のキャビティ内に配置し、芯球体とキャビティ内壁面との間にカバー形成用材料を射出注入する方法が採られる。なお、この場合、最外層の形成と同時にキャビティ内壁面に多数設けられたディンプル形成用突起により多数のディンプルが形成される。
【０００４】
従来、上記の方法でゴルフボールを製造する場合、図２２に示された構造を有する金型が多く用いられていた。図２２は、従来のゴルフボール成形用金型の一例を示す断面図であり、キャビティ内にカバー形成用材料を射出注入する前の状態を示している。
【０００５】
図２２において、従来金型１０は、ゴルフボールの赤道線を分割基準線（パーティングライン）ＰＬとする分割面で分割される上型２０ａ及び下型２０ｂを分離可能に接合してなり、その内壁面に多数のディンプル形成用突起が突設されているキャビティ３を有する金型本体２０と、上記キャビティ３に連通するピン挿通孔５０内を進退可能なサポートピン４０とを具備するものである。上記サポートピン４０は、その先端面に１個のディンプル形成用突起が突設されており、上記キャビティ３内に進出して芯球体３１を支持すると共に、後退した状態でその先端面が上記キャビティ３内壁面の一部を構成するようになっている。なお、ここでは特に図示しないが、上記サポートピン４０は、いずれも断面円形であり、上型２０ａ及び下型２０ｂにそれぞれ３本ずつ、合計６本がキャビティ３の極Ｑを中心に１２０度回転対称となる位置に所定間隔離間して設けられている。
【０００６】
また、上記金型１０には、上記金型本体２０の分割面に沿って所定開口面積を有するランナー６０及び樹脂射出口７０が形成され、図示しない公知の射出成形機からキャビティ３内壁面と芯球体３１との間に公知のカバー形成用材料が射出注入されるようになっている。そして、上記カバー形成用材料の射出注入と共にキャビティ３内に進出していたサポートピン４０が後退した後、冷却されることによりカバーの成形は終了する。その際、サポートピン４０の位置におけるディンプルは、該サポートピンの先端面に形成されたディンプル形成用突起によって形成される。この場合、キャビティ３内のガスは、サポートピン４０とピン挿通孔５０との間に設けられた所定間隔の隙間を通じて排出される。
【０００７】
しかしながら、上記の金型１０においては、芯球体３１を配置して上下型を閉じた際、上記サポートピン４０に無理な力が加わってたわみや位置ずれを生じることが多い。このような場合、サポートピン４０はピン挿通孔５０の中心から外れた位置に偏り、両者の間の隙間が不均一になる。そのため、成形時には両者の間の隙間が広い部分に対して集中的に材料が入り込むことになり、成形後のボール表面に不均一で偏ったバリが発生していた。ボール表面に不均一なバリができると、ボール全体を均一に研磨することが難しく、きれいな外観を得にくい。また、ディンプルの不均一化を招き、飛びのシンメトリー性に悪影響を及ぼすおそれもある。
【０００８】
更に、サポートピン４０とピン挿通孔５０とが偏った位置で接触することで特定の箇所に強い摩擦を生じるため、そこから摩擦屑が発生しやすくなる。このような状態で成形サイクルを繰り返すと、発生した摩擦屑がキャビティ３内に入り込んで成形後のボールを汚してしまうことがある。また、サポートピン４０と金型本体２０との摩擦により、キャビティ３の内壁面側が摩耗してしまい、成形後のボールに外観不良を起こす場合がある。
【０００９】
即ち、上記のサポートピンの位置ずれや摩耗に起因する問題は、製品の品質や、金型のメンテナンス期間及び寿命等に大きく影響するものであり、ひいては製品のコストに直結する問題である。
【００１０】
これに対し、特表２００２−５４２０６７号公報：特許文献１（これに対応する米国特許第６１２９８８１号明細書：特許文献２）、米国特許第７３４１６８７号明細書：特許文献３、特開平０８−３００４０３号公報：特許文献４及び特開２００５−１４３６１０号公報：特許文献５には、上記の外観不良等の問題を解決するために、金型本体や大径サポートピンにガス抜きピンを設けることでキャビティの極付近のガス抜き具合を改善した金型が開示されている。しかしながら、これらの金型では、ガス抜きピンとサポートピンとを個別に作製する必要があるため、余分なコストが発生してしまう上、上記の摩耗に起因する問題を解決し得るものではなかった。
【００１１】
このように、ゴルフボールの成形性や金型寿命の向上を目指して、ゴルフボール成形用金型に対して様々な工夫がなされてきたが、上記の課題は未だ根本的な解決には至っていない。従って、ゴルフボールの成形性や金型寿命を更に向上させ、更なる品質向上及びコストダウンを図るためにも、上述した不都合を解消し得る新たな方策が求められている。
【先行技術文献】
【特許文献】
【００１２】
【特許文献１】特表２００２−５４２０６７号公報
【特許文献２】米国特許第６１２９８８１号明細書
【特許文献３】米国特許第７３４１６８７号明細書
【特許文献４】特開平０８−３００４０３号公報
【特許文献５】特開２００５−１４３６１０号公報
【発明の概要】
【発明が解決しようとする課題】
【００１３】
本発明は、上記事情に鑑みなされたもので、特にゴルフボールのカバーの最外層を形成する場合に、金型本体及びサポートピンの摩耗を可及的に低減して、金型寿命を向上させると共に、前記摩耗に起因する外観不良や不都合なバリの発生を可及的に抑制し得、上述した生産上の不都合を生じることなく安定した成形を可能とするゴルフボール成形用金型及び該金型を用いたゴルフボールの製造方法を提供することを目的とする。
【課題を解決するための手段】
【００１４】
本発明は、上記目的を達成するために、下記のゴルフボール成形用金型及びゴルフボールの製造方法を提供するものである。
［１］少なくともゴルフボールの赤道線を分割基準線とする分割面を有する複数の割型を分離可能に接合してなり、その内壁面に多数のディンプル形成用突起が突設されているキャビティを有する金型本体と、上記キャビティに進退可能なサポートピンとを具備し、該サポートピンが上記キャビティ内に進出して芯球体を支持すると共に、後退した状態で該サポートピンの先端面が上記キャビティ内壁面の一部を構成するゴルフボール成形用金型において、
上記サポートピンが、上記キャビティ内に進出して芯球体を支持すると共に、後退した状態でその先端面が上記キャビティ内壁面の一部を構成するピン体と、該ピン体の断面よりも大きい断面を有するガイド体とを具備し、上記ピン体が上記ガイド体の先端面に突設されてなるものであり、
上記金型本体には、上記ピン体と嵌合し得るピン挿通部、及び上記ガイド体と嵌合し得るガイド部を有するピン挿通孔が形成され、かつ
上記ガイド体と上記ガイド部との間の隙間が、上記ピン体と上記ピン挿通部との間の隙間よりも小さく設定されたことを特徴とするゴルフボール成形用金型。
［２］上記ガイド体と上記ガイド部との間の隙間が、上記ピン体と上記ピン挿通部との間の隙間の１／２以下に設定された［１］記載のゴルフボール成形用金型。
［３］上記ガイド体の側面に、外部と連通する溝が少なくとも１本形成された［１］又は［２］記載のゴルフボール成形用金型。
［４］上記ガイド部の内壁面に、外部と連通する溝が少なくとも１本形成された［１］〜［３］のいずれか１項記載のゴルフボール成形用金型。
［５］上記ピン体を、先端面に１個以上のディンプル形成用突起が突設された形状とした［１］〜［４］のいずれか１項記載のゴルフボール成形用金型。
［６］上記ピン体を、先端面に２個以上のディンプル形成用突起が突設された形状とした［５］記載のゴルフボール成形用金型。
［７］上記ピン体の先端面が上記キャビティの極を含み、かつその周縁が極から緯度１０度の緯線と交差するものである［１］〜［６］のいずれか１項記載のゴルフボール成形用金型。
［８］少なくともゴルフボールの赤道線を分割基準線とする分割面を有する複数の割型を分離可能に接合してなる金型のキャビティ内に芯球体を配置すると共に、この芯球体を金型に装備されたサポートピンで支持し、芯球体とキャビティ内壁面との間にカバー形成用材料を射出注入すると共に、上記サポートピンを後退させてカバーを成形するゴルフボールの製造方法において、上記金型として［１］〜［７］のいずれか１項記載のゴルフボール成形用金型を用いるゴルフボールの製造方法。
【発明の効果】
【００１５】
本発明のゴルフボール成形用金型によれば、所定の条件を満たす形状を有するサポートピンを設けたことにより、該サポートピンの成形時におけるたわみや位置ずれを抑制することができ、金型本体及びサポートピンの摩耗を可及的に低減することができる。従って、サポートピンのたわみや位置ずれに起因する不均一なバリの発生、キャビティ内壁面側の傷みに起因する成形品の外観不良、及び摩擦屑による成形品の汚染を可及的に防止し得、更には金型のメンテナンス期間及び寿命を伸ばすことができる。そのため、良好な成形品を継続的に得ることができ、ゴルフボールの生産性向上に寄与することができる。また、従来提案されたガス抜きピンを別途作製する必要もなくコスト的にも優位なものである。
【図面の簡単な説明】
【００１６】
【図１】本発明の一実施例に係るゴルフボール成形用金型の断面図である。（Ａ）は該金型全体の構造を示した断面図であり、（Ｂ）は（Ａ）におけるピン挿通孔近傍を拡大した断面図である。
【図２】図１で示したゴルフボール成形用金型のサポートピンの先端部近傍を拡大した斜視図である。
【図３】図２で示したサポートピンを先端面側から見た平面図である。
【図４】本発明の他の実施例に係るゴルフボール成形用金型のサポートピンを先端面側から見た平面図である。
【図５】本発明の更に別の実施例に係るゴルフボール成形用金型のサポートピンを先端面側から見た平面図である。
【図６】他の実施例に係るサポートピンの先端部近傍を拡大した斜視図である。
【図７】図６で示したサポートピンを先端面側から見た平面図である。
【図８】本発明の他の実施例に係るゴルフボール成形用金型のサポートピンを先端面側から見た平面図である。
【図９】本発明の更に別の実施例に係るゴルフボール成形用金型のサポートピンを先端面側から見た平面図である。
【図１０】本発明の更に別の実施例に係るゴルフボール成形用金型のサポートピンを先端面側から見た平面図である。
【図１１】本発明の更に別の実施例に係るゴルフボール成形用金型のサポートピンを先端面側から見た平面図である。
【図１２】本発明の一実施例に係るゴルフボール成形用金型の下型の斜視図である。
【図１３】図１２で示した下型のピン挿通孔を金型の外側から見た平面図である。
【図１４】本発明の他の実施例に係るゴルフボール成形用金型のピン挿通孔を金型の外側から見た平面図である。
【図１５】本発明の更に別の実施例に係るゴルフボール成形用金型のピン挿通孔を金型の外側から見た平面図である。
【図１６】本発明の更に別の実施例に係るゴルフボール成形用金型のピン挿通孔を金型の外側から見た平面図である。
【図１７】本発明の更に別の実施例に係るゴルフボール成形用金型のピン挿通孔を金型の外側から見た平面図である。
【図１８】本発明の更に別の実施例に係るゴルフボール成形用金型のピン挿通孔を金型の外側から見た平面図である。
【図１９】本発明の更に別の実施例に係るゴルフボール成形用金型のピン挿通孔を金型の外側から見た平面図である。
【図２０】本発明の更に別の実施例に係るゴルフボール成形用金型のサポートピンを示す図である。（Ａ）は当該サポートピンの先端部近傍を拡大した斜視図であり、（Ｂ）は（Ａ）に示したサポートピンを先端面側から見た平面図である。
【図２１】本発明の更に別の実施例に係るゴルフボール成形用金型のサポートピンを示す図である。（Ａ）は当該サポートピンの先端部近傍を拡大した斜視図であり、（Ｂ）は（Ａ）に示したサポートピンを先端面側から見た平面図である。
【図２２】従来のゴルフボール成形用金型の一例を示す断面図である。
【発明を実施するための形態】
【００１７】
以下、本発明のゴルフボール成形用金型につき、図面を参照して詳しく説明する。なお、以下の説明において、金型の分割基準線（パーティングライン）と分割面の用語は以下のように定義する。分割基準線とは、金型を複数個に分割する際の基準となる線であり、例えば、２分割型の金型である場合、上型と下型とが接合する基準となる線を意味し、直線状である。一方、金型の分割面とは、上記分割基準線に基づいて分割された各割型が接合する接触部分を意味する。なお、上記分割面に上記分割基準線を跨ぐディンプル形成用突起を具備する場合、分割面は該ディンプル形成用突起による凸部及び該凸部に対応する凹部を有するものとなる。本発明において、上記分割面の形状は、金型の仕様に応じて適宜設定し得るものであり、特に制限されるものではない。
【００１８】
本発明のゴルフボール成形用金型は、少なくともゴルフボールの赤道線を分割基準線とする分割面を有していればよく、その分割数は金型の仕様に応じて適宜設定することができ、特に制限されるものではない。例えば、分割面が１つである２分割金型のように金型の分割面の数を少なくした場合は、金型の製造コストやディンプル配列の制限を減らすことができる。一方、分割面を複数設けて多数の割型に分割した場合は成形品の離型性を向上させることができる。また、本発明の金型は、所定の条件を満たすサポートピンを設けたことを特徴とするものであるが、該サポートピンを設ける個数や位置等については、金型の仕様や成形されるゴルフボールのディンプルデザイン等に応じて適宜設定し得、特に制限されるものではない。そのため、ここでは説明を簡単にするために、金型本体をゴルフボールの赤道線を分割基準線として上型及び下型に分割した２分割型とし、本発明の条件を満足するサポートピンを上型及び下型にそれぞれ１本ずつ設けた場合を例として説明する。
【実施例】
【００１９】
図１に、本発明のゴルフボール成形用金型の一実施例を示す。図１（Ａ）は、本発明の一実施例に係るゴルフボール成形用金型の断面図である。一方、図１（Ｂ）は、図１（Ａ）におけるサポートピン及びピン挿通孔の関係を説明するために、ピン挿通孔近傍を拡大した断面図である（この図は、成形時におけるサポートピンの動作を説明する図ではない。また、サポートピン及びピン挿通孔の隙間の縮尺も実際のものとは相違する。）。ここに示された金型１は、ゴルフボールの赤道線を分割基準線ＰＬとする分割面を有する上型２ａ及び下型２ｂを分離可能に接合してなり、その内壁面に多数のディンプル形成用突起が突設されているキャビティ３を有する金型本体２と、上記キャビティ３に進退可能なサポートピン４とを具備するものである。該サポートピン４は、上記キャビティ３内に進出して芯球体３１を支持すると共に、後退した状態でその先端面が上記キャビティ３内壁面の一部を構成するピン体４１と、該ピン体４１の断面よりも大きい断面を有するガイド体４２とを具備し、上記ピン体４１が上記ガイド体４２の先端面に一体的に突設されてなるものである。そして、図１（Ｂ）に示したように、上記金型本体２には、上記ピン体４１と互いに嵌合し得るピン挿通部５１、及び上記ガイド体４２と互いに嵌合し得るガイド部５２を有するピン挿通孔５が形成されている。更に、上記金型本体２の分割面に沿って所定開口面積を有するランナー６及び樹脂射出口７が形成され、図示しない公知の射出成形機からキャビティ３内壁面と芯球体３１との間に公知のカバー形成用材料が射出注入されるようになっている。なお、カバー形成用材料が射出注入された際、キャビティ３内のガスは、金型本体２とサポートピン４との間の隙間を通じて外部へ放出される。
【００２０】
図１（Ｂ）中の符号ｔ1は、上記の「ピン体４１とピン挿通部５１との間の隙間」を示し、「ピン体４１の側面周囲とピン挿通部５１の内壁面との間の全周にわたる隙間」を意味する。一方、符号ｔ2は、上記の「ガイド体４２とガイド部５２との間の隙間」を示し、「ガイド体４２の側面周囲とガイド部５２の内壁面との間の全周にわたる隙間」を意味する。以降においても、これらの記載は同様である。
【００２１】
本発明の金型１では、上記ガイド体４２と上記ガイド部５２との間の隙間ｔ2が、上記ピン体４１と上記ピン挿通部５１との間の隙間ｔ1よりも狭く設定されることが必要であり、特に上記ピン体４１と上記ピン挿通部５１との間ｔ1の隙間の１／２以下に設定されることが推奨される。詳細については後述する。
【００２２】
なお、本発明において、ガイド体４２が「ピン体４１の断面よりも大きい断面を有する」とは、図２を例に説明すると、ピン体４１の辺縁ｍとガイド体４２の先端面の周縁ｎとが、全周にわたって所定間隔離間している状態、即ち、平面視で上記ピン体４１が上記ガイド体４２の先端面に完全に包含されている状態を意味する。本発明では、上記ピン体４１の辺縁ｍと上記ガイド体４２の先端面の周縁ｎとの間隔は、金型の仕様等に応じて適宜設定することができ、特に制限されるものではない。また、上記ピン体４１及びガイド体４２の断面形状は、相似形であっても互いに異なるものであってもよい。
【００２３】
図１（Ａ）において、上記ピン体４１は、上記サポートピン４が上記キャビティ３内に進出した際に芯球体３１を支持すると共に、カバー形成用材料の射出注入後には後退した状態でその先端面が上記キャビティ３内壁面の一部を構成するようになっている。
【００２４】
以下、本発明のゴルフボール成形用金型１に適用し得るサポートピン４の形状について具体的な例を挙げながら詳しく説明する。
【００２５】
図２及び図３に、本発明の条件を満足するサポートピン４の形状の一例を示す。図２は該サポートピン４の先端近傍を拡大した斜視図であり、図３は図２に示したサポートピン４を先端面側から見た平面図である。また、図３中の符号Ｑは、キャビティ３の極を示し、二点鎖線で描かれる円Ｌ１，Ｌ２は、それぞれ上記極Ｑから緯度１０度及び８度の緯線を示す。なお、上記の極Ｑ及び円Ｌ１，Ｌ２は、以降の図においても同様である。
【００２６】
図２及び図３に示したサポートピン４は、先端面に６個のディンプル形成用突起が突設されたピン体４１と、該ピン体４１の断面よりも大きい断面を有する断面円形のガイド体４２とを具備し、上記ピン体４１は上記ガイド体４２の先端面に一体的に突設された形状を有している。
【００２７】
上記ピン体４１は、上記キャビティ３内に進出して芯球体を支持すると共に、後退した状態でその先端面が上記キャビティ内壁面の一部を構成する部分である。その断面形状は、その配設位置に対応してゴルフボール表面に設定された６個のディンプルを先端面に転写した形状を有している。
【００２８】
より具体的に述べると、ピン体４１の先端面の断面形状は、３個のティンプル形成用突起４３ａを正三角形状に配置し、これら３個のティンプル形成用突起４３ａの外側にそれぞれ１個ずつティンプル形成用突起４３ｂを加え、これら６個のティンプル形成用突起４３ａ，４３ｂと先端面の周縁との間に所定の幅を有する陸部領域４４（成形後のボール表面において、ディンプルが形成されない陸部に相当する領域）を設けたものである。そのため、上記ピン体４１の周縁は、各ディンプル形成用突起４３ａ，４３ｂの辺縁に沿った湾曲部を有すると共に、互いに隣接するこれら湾曲部がなだらかな曲線によって結ばれた形状を有している。そして、該先端面の周縁と上記各ディンプル形成用突起４３ａ，４３ｂとの間に所定の幅を有する陸部領域４４が設けられていることから、上記６個のディンプル形成用突起４３ａ，４３ｂが先端面に完全に包含された状態となっている。
【００２９】
ここで、上記ピン体４１の形状は、ディンプルデザインに応じて適宜設定し得るものであり、特に制限されるものではないが、成形時に芯球体を安定して支持する観点から対称性を有していることが好ましく、特に全体として線対称又は回転対称となるようにディンプル形成用突起が配置されるようにすることが好ましい。なお、図２及び図３において、上記ディンプル形成用突起４３ａ，４３ｂはいずれもの平面視円形状であり、その直径は約４ｍｍ（ゴルフボールの表面に直径４ｍｍのディンプルが形成される大きさ）である。
【００３０】
また、上記ピン体４１は、特に制限されるものではないが、芯球体３１を安定して支持する観点から、先端面が上記キャビティの極Ｑを含んでいることが好ましく、より好ましくは上記極Ｑと上記ピン体４１先端面の中心とを一致させることが推奨される。ピン体４１の先端面が上記の条件を満たさない場合は、芯球体３１を安定して支持することが困難になるおそれがある。なお、図２及び図３に示した例では、上記ディンプル形成用突起４３ａ，４３ｂは全体として回転対称に配置されており、かつ上記ピン体４１先端面の中心がディンプル形成用突起４３ａ，４３ｂの対称中心及び極Ｑと一致していることから、成形時に芯球体３１をより安定して保持できるようになっている。
【００３１】
次に、上記ピン体４１先端面の周縁は、特に制限されるものではないが、極Ｑから緯度１０度の緯線Ｌ１と交差することが好ましく、より好ましくは極Ｑから緯度８度の緯線Ｌ２と交差することが推奨される。また、上記緯度の下限は、特に制限されるものではないが、極Ｑから緯度０．５度の緯線（図示せず）とすることができる。上記の条件を満足しない場合は、成形時に極Ｑ付近のガスが抜け難くなり、外観不良を招くおそれがある。図２及び図３に示した例では、ピン体４１先端面の周縁は、互いに隣接するディンプル形成用突起４３ａ間において、極Ｑに向かって大きく内側に湾曲して、緯度１０度及び緯度８度の緯線と交差している。そのため、極Ｑ付近のガス抜け具合も良好である。
【００３２】
一方、特に制限されるものではないが、ピン体４１先端面の周縁は、上記極Ｑから緯度４０度の緯線を超えないことが好ましく、より好ましくは緯度３５度、更に好ましくは緯度３０度の緯線を超えないことが推奨される（これらの緯線は特に図示せず）。ピン体４１先端面の周縁が上記の緯線を超えた場合、ピン体４１の断面が大きくなりすぎるため、成形時にピン体４１を後退させることにより生じる空間全体に材料が行き届かないことがあり、充填不良となるおそれがある。また、ピン体４１の断面が大きくなりすぎた場合、ガイド体４２の断面の大きさもピン体４１の大きさに合わせて大きくする必要があるため、金型設計に制限が生じることがある。なお、ここでは特に図示しないが、図２及び図３に示したピン体４１の周縁最外部（周縁の中で極Ｑから最も遠い位置になる部分）は、極Ｑから緯度２３．４度の緯線（図示せず）に一致している。
【００３３】
また、上記陸部領域４４の幅は、ディンプルデザインや金型設計等に応じて適宜設定することができ、特に制限されるものではない。即ち、必要に応じてピン体４１先端面の周縁とディンプル形成用突起の辺縁とが一致する部分を持たせてもよい。
【００３４】
ピン体４１の先端面に形成するディンプル形成用突起の個数は、ディンプルデザインや金型の仕様等に応じて適宜し得る。ここでは、ピン体４１の形状の好適な態様の一例として、その先端面に６個のディンプル形成用突起４３ａ，４３ｂが形成された例を示したが、本発明はこれに限定されるものではない。即ち、ディンプルデザインによっては、ピン体４１の先端面に上記ディンプル形成用突起を形成しない構成とすることもでき、この場合、ピン体４１の先端面は、全面が陸部領域となる。ピン体４１の先端面にディンプル形成用突起を形成する場合、その個数は好ましくは１個以上であり、より好ましくは２個以上とすることができる。更には、芯球体を保持する際の安定性の観点から、先端面に３個以上のディンプル形成用突起が突設されていることが好ましく、特に４個以上形成されることが推奨される。また、その上限についても特に制限はないが、２０個以下とすることが好ましく、より好ましくは１０個以下、更に好ましくは７個以下とすることができる。ピン体４１先端面に突設されるディンプル形成用突起の個数が多すぎた場合、ピン体４１の断面が大きくなりすぎるため、成形時にピン体４１を後退させることにより生じる空間全体に材料が行き届かないことがあり、充填不良となるおそれがある。また、ピン体４１の断面が大きくなりすぎた場合、ガイド体４２の断面もピン体４１の大きさに合わせて大きくする必要があるため、金型設計に制限が生じることがある。
【００３５】
上記ガイド体４２は、サポートピン４において上記ピン体４１を支える土台となる部分であり、成形時における該ピン体４１の動きを規制して、その位置ずれを抑制するための部分である。図２及び図３では、上記ガイド体４２は断面円形で、その断面は上記ピン体４１よりも大きく設定されており、上記ピン体４１が上記ガイド体４２の先端面に完全に包含された状態となっている。なお、ここでは上記ガイド体４２の断面形状を円形とした例を示したが、その断面形状は、加工性の観点から単純な形状であればよく、特に制限されるものではない。例えば、図４に示したように円の一部を切り欠いて直線部分を持たせた形状や、図５に示したように四角形とすることができる。特にガイド体４１の形状を、上記のような直線部分を有する形状とした場合は、サポートピン４全体の回転方向のずれを抑制することができ、ピン体４１及びピン挿通部５１の摩耗を更に低減することができる。また、ガイド体４２の断面の大きさは、上記ピン体４１の断面の大きさ及び形状に応じて適宜設定されるものであり、上記ピン体４１の断面よりも大きくし、該ピン体４１が上記ガイド体４２の先端面に完全に包含されるように設定すればよく、特に制限されるものではない。
【００３６】
一方、金型本体２には、上記の形状を有するサポートピン４をキャビティ３に対して進退可能なものとするために、ピン体４１と相応する形状を有し、互いに嵌合し得るピン挿通部５１、及びガイド体４２と相応する形状を有し、互いに嵌合し得るガイド部５２を有するピン挿通孔５が形成されている。本発明の金型１において、上記ガイド体４２と上記ガイド部５２との間の隙間は、上記ピン体４１と上記ピン挿通部５１との間の隙間よりも狭く設定されることが必要であり、特に上記ピン体４１と上記ピン挿通部５１との間の隙間の１／２以下に設定されることが推奨される。上記ガイド体４２と上記ガイド部５２との間の隙間が、上記ピン体４１と上記ピン挿通部５１との間の隙間よりも広く設定された場合は、上記ガイド体４２が上記ピン体４１の位置ずれを抑制することができず、上記ピン体４１及び上記ピン挿通部５１の摩耗を早めることになる。
【００３７】
ピン体４１及びピン挿通部５１との間の隙間、及びガイド体４２とガイド部５２との間の隙間は、特に制限されるものではないが、上記の関係を満足しつつ、成形時にサポートピン４がなめらかに移動すると共に、バリの発生を最小限にとどめることができ、かつキャビティ３内のガスを速やかに外部へ放出することができる範囲において適宜設定することができる。なお、本発明では、ピン体４１及びピン挿通部５１との間の隙間は、好ましくは５〜５０μｍ、より好ましくは２０〜４０μｍとすることができ、ガイド体４２とガイド部５２との間の隙間は、好ましくは２．５〜２５μｍ、より好ましくは１０〜２０μｍとすることができる。上記の隙間が大きすぎた場合は、ピンの位置ずれやバリが大きくなることがあり、一方、隙間が小さすぎた場合は、キャビティ３内のガスが抜け難くなり、外観不良の発生を招くおそれがある。なお、図２及び図３に示した例では、ピン体４１とピン挿通部５１との間の隙間は４０μｍ、ガイド体４２とガイド部５２との間の隙間は２０μｍに設定している。なお、上記の隙間は、全周にわたって一定としても、サポートピン４及びピン挿通孔５の断面形状等に応じて部分的に異なるように設定してもよい。
【００３８】
本発明では、上記ガイド体４２と上記ガイド部５２との間の隙間を、上記ピン体４１と上記ピン挿通部５１との間の隙間よりも狭く設定することにより、ピン体４１の動きが規制され、成形時における位置ずれが抑制される。そして、サポートピン４を、上記ピン体４１が上記ガイド体４２の先端面に突設された構成としたことにより、サポートピン４全体としての剛性が高まる。そのため、成形時におけるピン体４１のたわみが従来のサポートピン４０よりも低減される。本発明の金型では、上記の効果によりピン体４１の位置ずれが抑制されるため、ピン体４１及びピン挿通部５１の摩耗を可及的に低減することができるようになり、成形時における上述した問題が解消される。
【００３９】
サポートピン４に形成されるピン体４１の長さは、特に制限されるものではないが、通常、サポートピン４の先端から１０〜４０ｍｍの範囲とすることができる。サポートピン４の全長に対してピン体４１の部分が短すぎた場合は、キャビティ３内壁の厚さが部分的に薄くなるため、金型の強度が低下するおそれがある。一方、ピン体４１の部分が長すぎた場合は、成形時におけるピン体４１のたわみを低減する効果を得にくくなる。
【００４０】
従来のサポートピンでは、サポートピンの全体をピン体４１と同一の形状に加工する必要があるが、本発明ではサポートピン４の先端側から必要とする部分のみとすることができる。これはピン体４１が複雑な形状を有する場合において特に有効であり、サポートピン４を作製する際に、難度の高い加工を必要とする範囲を減らすことができ、加工コストを削減することができる。
【００４１】
本発明では、特に制限されるものではないが、成形時にキャビティ内のガスを更に速やかに排出する観点から、上記ガイド体４２の側面に外部と連通する溝を少なくとも１本形成することが好ましい。図６及び図７に、サポートピンのガイド体の側面に外部と連通する溝を形成した例を示した。図６は、図２に示したサポートピン４のガイド体４２の側面に断面半円形の溝４５を形成した例を示す斜視図であり、図７は、図６に示したサポートピン４を先端面側からみた平面図である。また、図７中の符号Ｑは、上記と同様にキャビティ３の極を示し、二点鎖線で描かれる円Ｌ１，Ｌ２は、それぞれ上記極Ｑから緯度１０度及び８度の緯線を示す。なお、上記の極Ｑ及び円Ｌ１，Ｌ２は、以降の図においても同様である。
【００４２】
このサポートピン４では、３本の断面半円形の溝４５がガイド体４２の側面に均等に形成されている。ここでは特に図示しないが、上記溝４５は、上記ガイド体４２の先端面から金型の外部と連通する位置まで、サポートピン４の長手方向に沿って形成されている。このサポートピン４では、ガイド体４２の側面に溝４５が３本形成されていることにより、成形時にキャビティ３内のガスを速やかに排出することができる。
【００４３】
上記溝４５の断面形状、大きさ及び形成位置は、ガイド体４２の径や断面形状等に応じて適宜設定することができ、特に制限されるものではないが、本発明においては、サポートピン４全体の剛性に影響を及ぼさず、かつ上記ピン体４１に干渉しない範囲において設定することが推奨される。なお、上記溝４５は、上記ガイド体４２の側面に少なくとも１本形成されていればよいが、キャビティ３内のガスを効率よく排出する観点から、複数本の溝をガイド体４２の周囲に均等に設けることが好ましい。例えば、ガイド体４２の周囲の互いに対向する位置に２本の溝を形成したり、図６及び図７に示したように３本の溝をガイド体４２の周囲の均等な位置に設けたりすることもできる。また、溝４５の断面形状は、図６及び図７に示した半円形だけでなく、例えば、図８に示したような四角形としてもよい。
【００４４】
一方、上記ガイド体４２の断面形状が、図５に示したような四角形である場合においても、上記と同様に溝を形成することができる。以下に図５で示したサポートピン４のガイド体４２の側面に溝を形成した例を示す。
【００４５】
図９に、ガイド体４２の側面に溝４５を形成したサポートピン４を先端面側から見た平面図を示した。図９では、上記ガイド体４２の各辺の中央に断面半円形の溝４５が形成されている。このサポートピン４では、ガイド体４２の側面に溝４５が４本形成されていることにより、成形時にキャビティ３内のガスを速やかに排出することができる。なお、この場合も、溝４５の断面形状は、特に制限されるものではなく、上記の断面半円形の溝４５に換えて、図１０及び図１１に示したような四角形や三角形等の断面形状を有する溝４５を形成することもできる。
【００４６】
また、上述した外部と連通する溝は、サポートピン４のガイド体４２に形成するだけでなく、金型本体２に形成されたガイド部５２の内壁面に形成することもできる。以下、ガイド部５２の内壁面に外部と連通する溝５３を形成した場合について、図面を参照しながら具体的に説明する。
【００４７】
図１２は、本発明の一実施例に係る金型における下型２ｂの斜視図であり、該下型２ｂに形成されたピン挿通孔５のガイド部５２の内壁面には、断面半円形の溝５３が形成されている。図１３は、図１２に示したピン挿通孔５近傍を下方から見た平面図である。なお、上記図１２及び図１３に示した下型２ｂに形成されているピン挿通孔５は、上記図２及び図３に示したサポートピン４と互いに嵌合し得る形状を有している。また、図１３中の符号Ｑは、上記と同様にキャビティ３の極を示し、二点鎖線で描かれる円Ｌ１，Ｌ２は、それぞれ上記極Ｑから緯度１０度及び８度の緯線を示す。なお、上記の極Ｑ及び円Ｌ１，Ｌ２は、以降の図においても同様である。
【００４８】
図１２及び図１３では、３本の断面半円形の溝５３がガイド部５２の内壁面に均等に形成されている。上記溝５３は、該ガイド部５２の長手方向に沿って、上記ガイド部５２の最奥部から下型２ｂの外面まで形成されており、外部と連通するようになっている。この場合、ガイド部５２の内壁面に溝５３が３本形成されていることにより、成形時にキャビティ３内のガスを速やかに排出することができる。
【００４９】
上記溝５３の断面形状、大きさ及び形成位置は、ガイド部５２の径や断面形状等に応じて適宜設定することができ、特に制限されるものではないが、本発明においては、キャビティ３内のガスを効率よく排出し得ると共に、金型の強度に影響を及ぼさず、かつ公知のピン等の他の構成部品に干渉しない範囲において設定することが推奨される。なお、上記溝５３は、上記ガイド部５２の内壁面に少なくとも１本形成されていればよいが、キャビティ３内のガスを効率よく排出する観点から、複数本の溝を均等な位置に設けることが好ましい。例えば、ガイド部５２の内壁面の互いに対向する位置に２本の溝を形成したり、図１２及び図１３に示したように３本の溝をガイド部５２の内壁面の均等な位置に設けたりすることもできる。
【００５０】
上記溝５３の断面形状は、上記の断面半円形の溝５３に換えて、図１４に示したような四角形とすることもできる。また、図１５に示したように、ガイド部５２の内壁面に形成する溝５３を３本から６本に変更することもできる。更に、ガイド部５２の断面形状が、円の一部を切り欠いて直線部分を持たせた形状である場合、即ち、上記図４に示した形状のサポートピン４が嵌合し得る形状である場合は、例えば図１６に示したように、２本の溝５３をその周囲の円形部分に均等に形成することができる。これらは、いずれの場合においても、ガイド部５２の内壁面に溝５３が複数本形成されていることにより、成形時にキャビティ３内のガスを速やかに排出することができる。
【００５１】
一方、上記ガイド部５２の断面形状が、四角形である場合、即ち、上記図５に示した形状のサポートピン４が嵌合し得る形状である場合においても、上記と同様にその内壁面に溝を形成することができる。以下に図５で示したサポートピン４が嵌合し得る形状を有するガイド部５２の内壁面に溝を形成した例を示す。
【００５２】
図１７に、ガイド部５２の内壁面に溝５３を形成したピン挿通孔５近傍を図１に示した下型２ｂの下方から見た平面図を示した。図１７では、断面四角形の上記ガイド部５２の各辺の中央に断面半円形の溝５３が形成されている。この場合、ガイド部５２の内壁面に溝５３が４本形成されていることにより、成形時にキャビティ３内のガスを速やかに排出することができる。なお、この場合も、溝５３の断面形状は、特に制限されるものではなく、上記の断面半円形の溝５３に換えて、図１８に示したような四角形等の断面形状を有する溝５３を形成することもできる。また、図１９に示したように、ガイド部５２の各辺の中心及び各頂点に断面四角形の溝５３を合計８本形成することもできる。これらの場合においても、ガイド部５２の内壁面に溝５３が形成されていることにより、成形時にキャビティ３内のガスを速やかに排出することができる。
【００５３】
なお、上記ガイド体４２の側面に形成される溝４５、及び上記ガイド部５２の内壁面に形成される溝５３は、通常はいずれか一方に１本以上形成されればよいものであるが、ガイド体４２及びガイド部５２の両方に上記の溝を形成することを妨げることはない。
【００５４】
ここまで本発明のゴルフボール成形用金型の好ましい態様として、金型本体をゴルフボールの赤道線を分割基準線として上型及び下型に分割した２分割型とし、本発明の条件を満足するサポートピンを上型及び下型にそれぞれ１本ずつ設けた場合について具体例を挙げて説明してきたが、該サポートピンを設ける本数や位置は上記の例に限定されるものではない。例えば、図２２に示した従来金型１０におけるサポートピン４０を、図２０や図２１に示したサポートピンに換えたものとすることもできる。
【００５５】
図２０には、ピン体の先端面に１個のディンプル形成用突起が突設されたサポートピンの例を示した。図２０（Ａ）は、当該サポートピン４の先端部近傍を拡大した斜視図であり、図２０（Ｂ）は、図２０（Ａ）に示したサポートピン４を先端面側からみた平面図である。一方、図２１には、図２０に示したサポートピン４のガイド体４２の側面に、外部と連通する溝４５が形成された例を示した。図２１（Ａ）は、当該サポートピン４の先端部近傍を拡大した斜視図であり、図２１（Ｂ）は、図２１（Ａ）に示したサポートピン４を先端面側からみた平面図である。
【００５６】
これらのサポートピン４は、ピン体４１の先端面に１個のディンプル形成用突起４３ｃが形成されたものである。そして、上記ピン体４１よりも大きい断面を有するガイド体４２を具備することにより、サポートピン全体としての剛性が高まり、上記ピン体４１のたわみや位置ずれが低減され、これらたわみや位置ずれに起因する生産上の不都合を解消することができる。特に、図２１に示したサポートピン４においては、ガイド体４２の側面に溝４５が形成されており、成形時にキャビティ３内のガスを速やかに排出することができる。
【００５７】
また、この場合においても、ここでは特に図示しないが、必要に応じて上記ガイド体４２が嵌合するガイド部の内壁面に外部と挿通する溝を形成することもできる。なお、ディンプルデザインや金型設計の関係で、ピン体４１の先端面に突設されるディンプル形成用突起４３ｃを必要としない場合、該ピン体４１の先端面は、全面が陸部領域となる。
【００５８】
本発明のゴルフボール成形用金型に使用される材料は、特に制限されるものではなく、公知の材料を使用することができる。
【００５９】
本発明のゴルフボール成形用金型を用いて、ゴルフボールを成形する場合、その方法及び条件等は、従来の金型を用いた場合と同様に行うことができる。より具体的に述べると、図１に示した２分割型の金型１を用いる場合には、まず、該金型１のキャビティ３内に芯球体３１を配置すると共に、この芯球体３１を金型１に装備されたサポートピン４で支持する。次に、上記芯球体３１とキャビティ３内壁面との間に公知のカバー形成用材料をランナー６及び樹脂射出口７を通して射出注入すると共に、上記サポートピン４を後退させて、冷却固化した後、上下型を分離して成形品を取り出す。得られた成形品は、ゲートカットされ、常法による研磨処理を施してバリを除去した後、コアの周囲に１層又は２層以上のカバーが形成されたゴルフボールとなる。なお、ゴルフボールのデザイン性や耐久性を向上させるために、上記で得られたゴルフボールの表面に公知の方法でスタンプや塗装等の種々の処理を行うことは任意である。
【００６０】
ここで上記のカバー形成用材料としては、公知の熱可塑性樹脂を用いることができ、特に限定されるものでないが、アイオノマー樹脂、ウレタン樹脂等を好適に用いることができる。また、形成されるカバーの厚さについては、製造するゴルフボールの構造や材質等に応じて適宜設定することができ、特に制限されるものではない。
【００６１】
上記の方法で製造されるゴルフボールにおいて、表面に形成されるディンプルの形状、個数及び配列等は、ボールの仕様に応じて適宜設定し得るものであり、特に制限されるものではない。例えば、ディンプルの形状については、円形に限られず、非円形の多角形、涙形、楕円形等から適宜選択することができる。また、上記ディンプルの直径については、特に制限されるものではないが、０．５〜６ｍｍの範囲とすることが好ましい。そして、ディンプルの深さについても特に制限されるものではないが、０．０５〜０．４ｍｍの範囲とすることが好ましい。
【００６２】
また、ディンプルがボール表面に占める表面占有率については、特に制限されるものではないが、空気力学的特性の観点から７０％以上にすることが好ましく、より好ましくは７５％以上、更に好ましくは８０％以上とされる。本発明の金型を用いることで、高い表面占有率を有するボールを容易に製造することができる。
【００６３】
以上、本発明につき、図面を参照して好適な実施態様について説明したが、本発明のゴルフボール成形用金型は、図面や上記実施態様の内容に限定されるものではなく、その要旨を変更しない限りその構成を適宜変更することができる。即ち、金型の分割面の形状や分割数、並びに本発明で規定するサポートピンの配置位置及び個数等は、本発明の要旨を逸脱しない範囲で変更しても差し支えない。例えば、上記図１に示した金型において、上型２ａ及び下型２ｂに設けられたサポートピン４の形状は、必ずしも同一である必要はなく、ディンプルデザイン等に応じて異なる形状とすることができる。より具体的に述べると、図２及び図３に示したサポートピンを上型２ａに設け、図４に示したサポートピンを下型２ｂに設けた構成とすることも任意である。更には、必要に応じて公知のピン等を追加することもできる。
【００６４】
以上説明したように、本発明のゴルフボール成形用金型は、所定の条件を満たす形状を有するサポートピンを設けたことにより、該サポートピンの成形時におけるたわみや位置ずれを抑制することができ、金型本体及びサポートピンの摩耗を可及的に低減し得るものである。従って、サポートピンのたわみや位置ずれに起因する不均一なバリの発生、キャビティ内壁面側の傷みに起因する成形品の外観不良、及び摩擦屑による成形品の汚染を可及的に防止し得、更には金型のメンテナンス期間及び寿命を伸ばすことができる。そのため、良好な成形品を継続的に得ることができ、ゴルフボールの生産性向上に寄与することができる。また、従来提案されたガス抜きピンを別途作製する必要もなくコスト的にも優位なものである。
【符号の説明】
【００６５】
１  金型
２  金型本体
２ａ  上型
２ｂ  下型
３  キャビティ
３１  芯球体
４  サポートピン
４１  ピン体
４２  ガイド体
５  ピン挿通孔
５１  ピン挿通部
５２  ガイド部
６  ランナー
７  樹脂射出口
ＰＬ  分割基準線
Ｑ  極
【図１】
2013128767.tif 000003
【図２】
2013128767.tif 000004
【図３】
2013128767.tif 000005
【図４】
2013128767.tif 000006
【図５】
2013128767.tif 000007
【図６】
2013128767.tif 000008
【図７】
2013128767.tif 000009
【図８】
2013128767.tif 000010
【図９】
2013128767.tif 000011
【図１０】
2013128767.tif 000012
【図１１】
2013128767.tif 000013
【図１２】
2013128767.tif 000014
【図１３】
2013128767.tif 000015
【図１４】
2013128767.tif 000016
【図１５】
2013128767.tif 000017
【図１６】
2013128767.tif 000018
【図１７】
2013128767.tif 000019
【図１８】
2013128767.tif 000020
【図１９】
2013128767.tif 000021
【図２０】
2013128767.tif 000022
【図２１】
2013128767.tif 000023
【図２２】
2013128767.tif 000024